(57)【要約】【課題】本発明の目的は、偏向走査装置自体にひずみが生じた場合でも、ミラーに生じる角度変化を抑え、光線の照射位置ずれが小さい偏向走査装置を提供することである。【解決手段】光源より照射された光線を偏向器により偏向走査し、ミラーで反射して像坦持体に照射する偏向走査装置において、前記光線を反射するための２枚のミラーと、一方のミラーの反射光が他方のミラーの入射光になるように前記２枚のミラーを一体的に保持する保持部材と、を有するミラーユニットと、前記保持部材を支持することで前記ミラーユニットを支持する光学箱と、を有し、前記保持部材は弾性部材によって付勢され前記光学箱に固定されている。【選択図】    図３
2015141264.tif 000002
【特許請求の範囲】
【請求項１】
光源より照射された光線を偏向器により偏向走査し、ミラーで反射して像担持体に照射する偏向走査装置において、
前記光線を反射するための２枚のミラーと、一方のミラーの反射光が他方のミラーの入射光になるように前記２枚のミラーを一体的に保持する保持部材と、を有するミラーユニットと、
前記保持部材を支持することで前記ミラーユニットを支持する光学箱と、
を有し、
前記保持部材は弾性部材によって付勢され前記光学箱に固定されていることを特徴とする偏向走査装置。
【請求項２】
前記保持部材は前記２枚のミラーの長手方向両端部を保持することを特徴とする請求項１に記載の偏向走査装置。
【請求項３】
前記保持部材は前記光学箱に支持される支持部材を備え、前記支持部材の長手方向の両端部は前記光学箱と接する面が円筒面であり、前記光学箱に前記支持部材の円筒面と２ヶ所で接する固定部を設け、前記弾性部材によって前記支持部材の円筒面を前記光学箱の固定部に付勢して、前記支持部材を前記光学箱に固定していることを特徴とする請求項１又は請求項２に記載の偏向走査装置。
【請求項４】
前記ミラーの長手方向の両端部を保持する各保持部材は、長手方向両側のミラー反射面の平行度を調整して前記支持部材に固定されていることを特徴とする請求項３に記載の偏向走査装置。
【請求項５】
前記保持部材に保持されている前記２枚のミラーは、それぞれに入射する光線の入射角が同一であることを特徴とする請求項３又は請求項４に記載の偏向走査装置。
【請求項６】
前記２枚のミラーは、一方のミラーの反射面と他方のミラーの反射面との交線が、前記支持部材の中心線と一致するように配置されていることを特徴とする請求項３乃至請求項５のいずれか１項に記載の偏向走査装置。
【請求項７】
前記保持部材は、いずれか一方に規制部を有し、前記規制部が前記光学箱に設けられた回転止めリブと接するように、前記規制部の前記回転止めリブと接する反対側を回転防止バネにより付勢して、前記光学箱に保持されていることを特徴とする請求項３乃至請求項６のいずれか１項に記載の偏向走査装置。
【請求項８】
前記回転止めリブは前記ミラーユニットに対して１ヶ所にのみ設けられ、
前記ミラーユニットは、前記支持部材の両端部と前記保持部材の回転止めリブの３ヶ所で前記光学箱に対して前記弾性部材及び前記回転防止バネを用いて圧接されていることを特徴とする請求項７に記載の偏向走査装置。
【発明の詳細な説明】
【技術分野】
【０００１】
本発明は、光源より出射された光線を偏向器により偏向走査し、ミラーで反射して像坦持体に照射する偏向走査装置に関し、特に装置本体に対して移動可能な移動部材に複数のカートリッジを支持する画像形成装置に用いられる偏向走査装置に関するものである。
【背景技術】
【０００２】
カラー電子写真画像形成装置においては、装置本体に対して移動可能な移動部材に複数個のプロセスカートリッジを支持する構成が提案されている（特許文献１）。この構成によれば、装置本体に対して直線的に移動可能な移動部材に複数個のプロセスカートリッジを並べて支持させたことにより、移動部材の移動に要する空間領域を小さくでき、ひいては装置本体の小型化ができる。このような構成の画像形成装置においては、偏向走査装置は装置内部でプロセスカートリッジの上方に配置され、本体枠体に高精度に位置決めされる。
【０００３】
このような画像形成装置で良質な画像を得るためには、露光工程における光線の走査に高い精度が要求される。そのためには、偏向走査装置が画像形成装置に高い精度で固定され、また、偏向走査装置内部に配置されている光学素子の位置や姿勢の精度にも高い精度が要求される。特に、ミラーについては、ミラーの角度が変化せずに平行に移動した場合は、照射位置の変化はミラーの平行移動分のみであるのに対し、ミラーの角度が変化すると、光線の照射位置はその角度変化とミラーから像面までの距離に比例してずれることになる。そのため、ミラーの角度変化を抑えることは、光線の照射位置ずれの変動を抑えるためには重要である。
【０００４】
そこで、特許文献２には、偏向走査装置のねじれ等によって発生する光線の照射位置ずれを調整することができる構成が開示されている。本構成では、光学素子保持部材を主走査方向に直交する平面内で変位させて光線の照射位置ずれを調整している。
【先行技術文献】
【特許文献】
【０００５】
【特許文献１】特開２００７−２１３０１８号公報
【特許文献２】特開２００９−２３１０２号公報
【発明の概要】
【発明が解決しようとする課題】
【０００６】
しかしながら、特許文献２に記載されている構成では、画像形成装置を動作させることにより発生する熱で動作中に偏向走査装置自体にひずみが生じた場合には光線の照射位置ずれが発生することになる。また、光学素子保持部材そのものを移動させることにより偏向走査装置内部に配置されている光学素子保持部材に保持されている光学素子全てが移動することになり、補正する必要のない光線の照射位置までも移動することとなる。
【０００７】
そこで、本発明の目的は、偏向走査装置自体にひずみが生じた場合でも、ミラーに生じる角度変化を抑え、光線の照射位置ずれが小さい偏向走査装置を提供することである。
【課題を解決するための手段】
【０００８】
上記目的を達成するため、本発明は、光源より照射された光線を偏向器により偏向走査し、ミラーで反射して像担持体に照射する偏向走査装置において、前記光線を反射するための２枚のミラーと、一方のミラーの反射光が他方のミラーの入射光になるように前記２枚のミラーを一体的に保持する保持部材と、を有するミラーユニットと、前記保持部材を支持することで前記ミラーユニットを支持する光学箱と、を有し、前記保持部材は弾性部材によって付勢され前記光学箱に固定されていることを特徴とする。
【発明の効果】
【０００９】
本発明によれば、偏向走査装置自体にひずみが生じた場合でも、ミラーの角度変化が抑えられ、ミラーの角度変化による光線の照射位置ずれ変動を抑えることができる。
【図面の簡単な説明】
【００１０】
【図１】（ａ）は偏向走査装置を備えた画像形成装置の斜視図、（ｂ）は偏向走査装置を備えた画像形成装置の断面図
【図２】偏向走査装置とドラムの関係を示す図
【図３】偏向走査装置の内部構成を示す斜視図
【図４】偏向走査装置の光線経路を示す模式断面図
【図５】（ａ）は実施例１に係る偏向走査装置のミラーユニットを示す斜視図、（ｂ）は実施例１に係る偏向走査装置のミラーユニットを示す断面図
【図６】実施例１に係る偏向走査装置のミラーユニットと光学箱の固定方法を示す図
【図７】（ａ）（ｂ）（ｃ）は実施例１に係る偏向走査装置の姿勢変化が光線の照射位置に与える影響を示す図
【図８】（ａ）は実施例２に係る偏向走査装置のミラーユニットを示す斜視図、（ｂ）は実施例２に係る偏向走査装置のミラーユニットを示す断面図
【図９】（ａ）（ｂ）（ｃ）は実施例２に係る偏向走査装置の姿勢変化が光線の照射位置に与える影響を示す図
【発明を実施するための形態】
【００１１】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１２】
〔実施例１〕
図１〜図７を用いて本実施例に係る偏向走査装置を備えた画像形成装置について説明する。
【００１３】
（画像形成装置の説明）
図１は本実施例に係る画像形成装置を示す図である。ここでは、画像形成装置として、電子写真プロセスを用いた、４色フルカラーのレーザープリンタを例示している。プリンタは、パソコン・イメージリーダ・相手方ファクシミリ装置等の外部ホスト装置（不図示）から入力する電気的画像信号に基づいて記録媒体（例えば、用紙、ＯＨＰシート、ラベル等）Ｓに対する画像形成を実行する。
【００１４】
図１（ａ）は本実施例のカラー電子写真画像形成装置１００の外観斜視図でユーザがカートリッジを引き出した状態、図１（ｂ）はその縦断左側面図である。
【００１５】
図１に示す画像形成装置１００において、画像形成時には装置本体に対して移動可能な移動部材３５が不図示の本体枠体内に収容される。後述するプロセスカートリッジの交換の際には、図１に示すように、移動部材３５が装置本体Ａの外に直線的に引き出され、プロセスカートリッジの交換作業が行われる。このように、装置本体に対して直線的に移動可能な移動部材に複数個のプロセスカートリッジを並べて支持させたことにより、移動部材の移動に要する空間領域を小さくでき、ひいては装置本体の小型化ができる。
【００１６】
以下の説明において、画像形成装置１００に関して、前側又は正面側とは装置本体Ａの開口部３０に対する開閉部材であるドア３１を配設した側である。後側とはそれとは反対側である。前後方向とは、装置本体Ａの後側から前側に向かう方向（前方向）と、その逆の方向（後方向）である。左右とは装置本体Ａを前側から見て左または右である。左右方向とは、右から左に向かう方向（左方向）と、その逆の方向（右方向）である。
【００１７】
画像形成装置１００の装置本体Ａの内側には、後側から前側にかけて、第１から第４の４つのプロセスカートリッジＰＹ，ＰＭ，ＰＣ，ＰＫが水平方向（横方向）に並べられて配設されている（インライン構成、タンデム型）。各プロセスカートリッジ（以下、カートリッジと記す）は、収容させた現像剤（トナー）の色が異なるだけで、互いに同様の構成のものである。本実施例の各カートリッジは、それぞれ、潜像が形成される像担持体としての電子写真感光体ドラム（以下、ドラムと記す）１Ｙ，１Ｃ，１Ｍ，１Ｂｋを有する。また、ドラム１Ｙ，１Ｍ，１Ｃ，１Ｂｋに作用するプロセス手段としての帯電手段・現像手段・クリーニング手段を有する。そして、それらがカートリッジ枠体１ｈに一体的に組み付けられている。第１のカートリッジＰＹは、イエロー色（Ｙ色）の現像剤を収容させてあり、ドラム１Ｙ面にＹ色の現像剤像を形成する。第２のカートリッジＰＭは、マゼンタ色（Ｍ色）の現像剤を収容させてあり、ドラム１Ｍ面にＭ色の現像剤像を形成する。第３のカートリッジＰＣは、シアン色（Ｃ色）の現像剤を収容させてあり、ドラム１Ｃ面にＣ色の現像剤像を形成する。第４のカートリッジＰＫは、ブラック色（Ｋ色）のトナーを収容させてあり、ドラム１Ｂｋ面にＫ色の現像剤像を形成する。
【００１８】
カートリッジＰＹ，ＰＭ，ＰＣ，ＰＫの上方部には、偏向走査装置１１が配設されている。偏向走査装置１１は、外部ホスト装置から入力する各色の画像情報に対応して変調した光線を出力する。そして、光線ＬＹ，ＬＭ，ＬＣ，ＬＢｋ（図２参照）は、各カートリッジ枠体１ｈの上面に設けた露光窓６を通過して、各カートリッジのドラム面を走査露光する。
【００１９】
カートリッジＰＹ，ＰＭ，ＰＣ，ＰＫの下方部には、中間転写ベルト１３を有する中間転写ベルトユニット１２が配設されている。各カートリッジＰの有するドラム１は、その下面が、中間転写ベルトユニット１２における中間転写ベルト１３に接している。
【００２０】
ベルトユニット１２の下方部には、記録媒体を積載収容する給送ユニット１８が配設されている。装置本体Ａ内の後側の上部には、記録媒体に転写された画像を定着する定着装置２３と、記録媒体を装置本体外に排出する排出ローラ対２４が配設されている。装置本体Ａの上面は排出された記録媒体を積載する排出トレイ２５となっている。
【００２１】
上記画像形成装置におけるフルカラー画像を形成するための動作を図１および図２を用いて説明する。
【００２２】
図２は偏向走査装置１１から出射される光線ＬＹ，ＬＭ，ＬＣ，ＬＢｋとドラム１Ｙ，１Ｍ，１Ｃ，１Ｂｋとの関係を示す。
【００２３】
第１乃至第４の各カートリッジＰＹ，ＰＭ，ＰＣ，ＰＫのドラム１Ｙ，１Ｍ，１Ｃ，１Ｂｋが反時計回り方向に所定の制御速度で回転駆動される。ベルト１３も時計回り方向（ドラム回転に順方向）にドラム１Ｙ，１Ｍ，１Ｃ，１Ｂｋの速度に対応した速度で回転駆動される。偏向走査装置１１も駆動される。この駆動に同期して、各カートリッジにおいてそれぞれ所定の制御タイミングで帯電ローラ２Ｙ，２Ｍ，２Ｃ，２Ｂｋがドラム１Ｙ，１Ｍ，１Ｃ，１Ｂｋの表面を所定の極性・電位に一様に帯電する。偏向走査装置１１は各ドラム１Ｙ，１Ｍ，１Ｃ，１Ｂｋの表面を各色の画像信号に応じて変調された光線ＬＹ，ＬＭ，ＬＣ，ＬＢｋで走査露光する。これにより、各ドラム１Ｙ，１Ｍ，１Ｃ，１Ｂｋの表面に対応色の画像信号に応じた静電潜像が形成される。形成された静電潜像が現像ローラ３Ｙ，３Ｍ，３Ｃ，３Ｂｋにより現像剤像として現像される。
【００２４】
上記のような電子写真画像形成プロセス動作により、第１のカートリッジＰＹのドラム１Ｙにはフルカラー画像のイエロー成分に対応するＹ色現像剤像が形成される。そして、その現像剤像がベルト１３上に一次転写される。第２のカートリッジＰＭのドラム１Ｍにはフルカラー画像のマゼンタ成分に対応するＭ色の現像剤像が形成される。その現像剤像が、ベルト１３上にすでに転写されているＹ色の現像剤像に重畳されて一次転写される。第３のカートリッジＰＣのドラム１Ｃにはフルカラー画像のシアン成分に対応するＣ色の現像剤像が形成され、その現像剤像が、ベルト１３上にすでに転写されているＹ色＋Ｍ色の現像剤像に重畳されて一次転写される。第４のカートリッジＰＣのドラム１Ｂｋにはフルカラー画像のブラック成分に対応するＫ色の現像剤像が形成される。そして、その現像剤像が、ベルト１３上にすでに転写されているＹ色＋Ｍ色＋Ｃ色の現像剤像に重畳されて一次転写される。かくして、ベルト１３上にＹ色＋Ｍ色＋Ｃ色＋Ｋ色の４色フルカラーの未定着現像剤像が合成形成される。
【００２５】
一方、所定の制御タイミングで給送ローラ２１が駆動され、記録媒体である用紙Ｓが１枚分離給送される。そして、用紙Ｓは、二次転写ローラ２２とベルト１３とのニップ部（二次転写ニップ部）に導入される。これにより、用紙Ｓが該ニップ部を挟持搬送されていく過程でベルト１３上の４色重畳の現像剤像が用紙Ｓの面に順次に一括転写される。用紙Ｓはベルト１３の面から分離されて定着装置２３へ導入され、定着ニップ部で加熱・加圧される。これにより、各色現像剤像の混色及び用紙への定着がなされる。そして用紙Ｓは、定着装置２３を出て、フルカラー画像形成物として排出ローラ対２４により排出トレイ２５上に排出される。
【００２６】
（偏向走査装置の説明）
図３と図４を用いて、偏向走査装置１１の内部構成と光線の経路を説明する。図３は、偏向走査装置の内部構成を示す斜視図である。図４は、偏向走査装置の光線経路を示す断面図である。
【００２７】
偏向走査装置１１は、各色に対応した光源（図示せず）を持ち、それぞれの光源より照射された光線は、対応するコリメータレンズ４１Ｙ，４１Ｍ，４１Ｃ，４１Ｂｋにより平行光に変換される。そして、それぞれの光線に対応した副走査方向にパワーを持つシリンドリカルレンズ４２によりポリゴンミラー（偏向器）４３のミラー面上で主走査方向に線状に集光される。それぞれの光線は、ポリゴンミラー４３の走査平面に対して４度の角度でポリゴンミラー４３に入射するように配置されている。ポリゴンミラー４３は、スキャナモータ４４により回転駆動され、光線を等角速度で走査する。
【００２８】
ポリゴンミラー４３により走査された光線ＬＹ，ＬＭと光線ＬＣ，ＬＢｋは、互いに反対方向に偏向される。光線ＬＹ，ＬＭ，ＬＣ，ＬＢｋは走査レンズ４５，４６を通過した後、光線ＬＭ，ＬＣはミラー４７，４８，４９により反射され、光線ＬＹ，ＬＢｋはミラー５０により反射され、それぞれの光線に対応するドラムに照射される。前述の複数枚のミラーのうち、ミラー４７，５０は、光学箱６０に直接取り付けられている。ミラー４８，４９は、ミラーユニット５１の一部として一体化されて、弾性部材としての支持軸圧接バネ５５と回転防止バネ５６を用いて光学箱６０に取り付けられている。
【００２９】
図５を用いて偏向走査装置１１におけるミラーユニットの構成について説明する。図５（ａ）はミラーユニットの構成を示す斜視図、図５（ｂ）ミラーユニットの構成を示す側面図である。
【００３０】
なお、図２における光線ＬＭと光線ＬＣをそれぞれに対応するドラム１Ｍ，１Ｃに導くミラーユニット５１の構成は、図３に示すようにポリゴンミラー４３を中心として対称形状であるので、ミラーユニット５１の説明は、光線ＬＭ側を用いて行う。
【００３１】
図５（ａ）に示すように、ミラーユニット５１は、ミラーユニット支持軸５２と、ミラー保持板５３と、ミラー４８，４９と、ミラー押さえ板５４とにより構成されている。ミラー保持板５３は、一方のミラー４８の反射光が他方のミラー４９の入射光になるように２枚のミラー４８，４９を一体的に保持する保持部材である。各ミラー保持板５３には、各ミラー４８，４９の長手方向両端部においてミラー反射面と接して支持するミラー支持部５３ａ，５３ｂが２点ずつ設けられている。ミラー４８，４９は、入射した光線を反射するためのミラーであり、ここでは複数枚のミラーとして２枚のミラーを例示している。ミラー保持板５３は、光学箱６０に支持されるミラーユニット支持軸５２を備えている。ミラーユニット支持軸５２は、前記ミラー４８，４９の長手方向に延設され、前記ミラー保持板５３，５３を固定する支持部材である。ここでは、ミラーユニット支持軸５２の両端部近傍に、それぞれ板金製のミラー保持板５３が溶接固定されている。ここでは、固定方法として溶接を用いたが、溶接以外の接着等でも良い。それぞれのミラー保持板５３は、ミラー４８，４９を取り付けた際に、ミラーの反射面にねじれが生じないように、治具（不図示）を用いて長手方向両側のミラー反射面の平行度を調整してミラーユニット支持軸５２に固定されている。本実施例では、ミラー保持板５３は同一の型を用いて製造されており、そうすることにより、ミラー反射面の支持部の平行度を確保することが容易になる。
【００３２】
図５（ｂ）に示すように、ミラー保持板５３に保持されているミラー４８，４９は、ミラー４８への光線の入射角とミラー４９への光線の入射角が共に同一（ここでは４５°）となるように配置されている。ここでは、入射角は４５°としたが、入射角が同じであれば４５°以外でも良い。ミラー４８とミラー４９は、それぞれミラー反射面を長手方向一方のミラー保持板５３に２点（ミラー支持部５３ａ，５３ｂ）、他方のミラー保持板５３に２点（ミラー支持部５３ｂ，５３ｂ）の合計４点でミラー保持板５３に接している。なお、ミラー保持板５３には、一方に延伸した延伸部（規制部）５７が設けられているが、これについては後述する。
【００３３】
ミラー押さえ板５４には、バネ材が用いられている。ミラー保持板５３へ取り付けられたミラー押さえ板５４の弾性を用いて、ミラー４８，４９をミラー保持板５３の支持部へ圧接して固定している。ここでは、バネによる圧接固定を行っているが、ミラー４８，４９をミラー保持板５３へ接着固定しても良い。
【００３４】
図６を用いてミラーユニットの光学箱への取付構成について説明する。図６は、ミラーユニットと光学箱の取り付け部を示す図である。
【００３５】
図６に示すように、ミラーユニット支持軸５２は、支持軸圧接バネ５５により光学箱６０に設けられた固定部としての溝部６１へ圧接固定されている。支持軸圧接バネ５５の形状は引張バネであり、溝部６１近傍に設けられた光学箱６０の突起６３（図３参照）にそれぞれの端部５５ａが引っ掛けられて固定されている。支持軸圧接バネ５５の両端部５５ａとミラーユニット支持軸５２の中心軸は略同一直線上に配置されており、常にバネ５５の圧力がミラーユニット支持軸５２の中心方向に向くようになっている。また、ミラーユニット支持軸５２の溝部６１と接する部分は円筒面となっている。溝部６１は、光学箱６０に前記ミラーユニット支持軸５２の円筒面と２ヶ所で接するように、ミラーユニット支持軸５２の円筒面と接する部分がＶ字形状となっている。ここでは、溝部６１のＶ字の交点の角度は略９０度となっている。このように構成することにより、ミラーユニット５１はミラーユニット支持軸５２の円筒面の中心軸を回転中心として回転することが可能となる。
【００３６】
前述したようにミラー保持板５３には、規制部としての延伸部５７が設けられている。ミラー保持板５３の延伸部５７は、光学箱６０に設けられた回転止めリブ６２と接し、回転止めリブ６２と接する反対側を回転防止バネ５６により付勢して、ミラー保持板５３は光学箱６０に保持されている。回転止めリブ６２はミラーユニット５１に対して１ヶ所にのみ設けられており、ミラーユニット５１は、ミラーユニット支持軸５２の両端部近傍と回転止めリブ６２の３ヶ所で光学箱６０に対して支持軸圧接バネ５５及び回転防止バネ５６を用いて圧接されている。このようにミラーユニット５１を光学箱６０に対して３ヶ所で圧接することにより、光学箱６０にひずみが生じても、ミラーユニット５１に対してはひずみが生じないような構成となっている。
【００３７】
次に、図７を用いてミラーユニット５１の姿勢変化と光線の照射位置との関係について説明する。図７（ａ）（ｂ）（ｃ）は、ミラーユニット５１の姿勢変化が光線の照射位置に与える影響を示す図である。
【００３８】
図７（ａ）は、位置ずれのない状態において、ミラーユニット５１に保持されているミラー４８，４９に対して光線ＬＭがどのように入射しているかを示している。光線ＬＭは矢印の方向にミラー４８に入射し、その反射光が次にミラー４９へ入射している。
【００３９】
図７（ｂ）は、光学箱６０のねじれにより溝部６１の位置がずれた場合を示している。図７（ｂ）において、破線は、位置がずれる前の光線ＬＭの経路を示しており、実線は、位置がずれた後の光線ＬＭの経路を示している。このような場合は、光学箱６０のねじれにより溝部６１の位置がずれても、光線ＬＭの経路は平行にずれるが、光線ＬＭのドラムへの入射角度は変化しない。
【００４０】
また、図７（ｃ）は、回転止めリブ６２の位置がずれた場合を示している。図７（ｃ）において、破線は、位置がずれる前の光線ＬＭの経路を示しており、実線は、位置がずれた後の光線ＬＭの経路を示している。このような場合は、回転止めリブ６２の位置がずれても、ミラーユニット５１がミラーユニット支持軸５２の中心軸を中心に回転し、ミラー４８とミラー４９の角度がずれ、光線ＬＭの経路は平行にずれるが、光線ＬＭのドラムへの入射角度は変化しない。
【００４１】
このように位置ずれが生じるいずれの場合においても、光線ＬＭは元の経路から平行方向にはずれるが、ミラー４９にて反射された後の光線ＬＭの角度（ドラムへの入射角度）は変化しない。
【００４２】
照射位置の変化は、光線の平行ずれとミラーの角度変化による光線のドラム入射角変化の和であり、ミラーからドラムまでの距離が長ければ長いほど、光線のドラム入射角変化の影響が大きくなる。そのため、前述したように位置ずれが生じても、光線のドラム入射角変化がない本実施例の構成は、照射位置の変化に有利となる。
【００４３】
すなわち、本実施例によれば、偏向走査装置１１自体にひずみが生じた場合でも、ミラーの角度変化が抑えられ、ミラーの角度変化による光線の照射位置ずれ変動を抑えることができる。
【００４４】
〔実施例２〕
実施例２に係る偏向走査装置について図８を用いて説明する。図８（ａ）はミラーユニットの構成を示す斜視図、図８（ｂ）はミラーユニットの構成を示す側面図である。なお、ミラーユニットの構成の除く偏向走査装置の全体構成及びこの偏向走査装置を備えた画像形成装置の全体構成は、前述した実施例と同様であるため、ここでは説明を省略する。以下、本実施例に係る偏向走査装置におけるミラーユニットの構成について説明する。
【００４５】
実施例２におけるミラーユニット５１は、一方のミラー４８の反射面Ｒ４８と他方のミラー４９の反射面Ｒ４９との交線が、ミラーユニット支持軸（支持部材）５２の中心線Ｃ５２と一致するように配置されていることが、実施例１と異なる。ミラー４８とミラー４９は実施例１と同様にミラー押さえ板５４を用いてミラー保持板５３へ圧接保持されている。実施例１でも説明したように、ここでも、ミラー４８とミラー４９をミラー保持板５３に圧接保持した構成を例示しているが、これに限定されるものではなく、接着固定しても良い。また、本実施例においても、前述した実施例と同様に、ミラー４８とミラー４９への光線の入射角が同一となるように、ミラー４８，４９はミラー保持板５３に保持されている。
【００４６】
次に、図９を用いてミラーユニット５１の姿勢変化と光線の照射位置との関係について説明する。図９は、ミラーユニット５１の姿勢変化が光線の照射位置に与える影響を示す図である。
【００４７】
図９（ａ）は、位置ずれのない状態において、ミラーユニット５１に保持されているミラー４８，４９に対して光線ＬＭがどのように入射しているかを示している。光線ＬＭは矢印の方向にミラー４８に入射し、その反射光が次にミラー４９へ入射している。
【００４８】
図９（ｂ）は、光学箱６０のねじれにより溝部６１の位置がずれた場合を示している。図９（ｂ）において、破線は、位置がずれる前の光線ＬＭの経路を示しており、実線は、位置がずれた後の光線ＬＭの経路を示している。このような場合は、光学箱６０のねじれにより溝部６１の位置がずれても、光線ＬＭの経路は平行にずれるが、光線ＬＭのドラムへの入射角度は変化しない。
【００４９】
また、図９（ｃ）は、回転止めリブ６２の位置がずれた場合を示している。図９（ｃ）において、破線は、位置がずれる前の光線ＬＭの経路を示しており、実線は、位置がずれた後の光線ＬＭの経路を示している。このような場合は、回転止めリブ６２の位置がずれても、ミラーユニット５１がミラーユニット支持軸５２の中心軸を中心に回転し、ミラー４８とミラー４９の角度がずれるが、光線ＬＭのドラムへの入射角度は変化せず、光線ＬＭの経路が平行にずれることもない。
【００５０】
すなわち、本実施例は、前述した実施例１に対して、ミラーユニット５１が回転した場合でも、光線ＬＭが平行ずれない分、照射位置の変動に対してより有利となる。
【００５１】
なお、前述した実施例１，２では、画像形成装置としてプリンタを例示したが、本発明はこれに限定されるものではない。例えば複写機、ファクシミリ装置等の他の画像形成装置や、或いはこれらの機能を組み合わせた複合機等の他の画像形成装置であっても良く、これらの画像形成装置における偏向走査装置に本発明を適用することにより同様の効果を得ることができる。
【符号の説明】
【００５２】
Ａ    …装置本体
ＬＹ，ＬＭ，ＬＣ，ＬＢｋ …光線
ＰＹ，ＰＭ，ＰＣ，ＰＫ …カートリッジ
１Ｙ，１Ｍ，１Ｃ，１Ｂｋ …ドラム
１１  …偏向走査装置
４１Ｙ，４１Ｍ，４１Ｃ，４１Ｂｋ …コリメータレンズ
４２  …シリンドリカルレンズ
４３  …ポリゴンミラー
４４  …スキャナモータ
４７，４８，４９，５０ …ミラー
５１  …ミラーユニット
５２  …ミラーユニット支持軸
５３  …ミラー保持板
５３ａ，５３ｂ …ミラー支持部
５４  …ミラー押さえ板
５５  …支持軸圧接バネ
５５ａ …端部
５６  …回転防止バネ
５７  …延伸部
６０  …光学箱
６１  …溝部
６２  …回転止めリブ
６３  …突起
１００ …画像形成装置
【図１】
2015141264.tif 000003
【図２】
2015141264.tif 000004
【図３】
2015141264.tif 000005
【図４】
2015141264.tif 000006
【図５】
2015141264.tif 000007
【図６】
2015141264.tif 000008
【図７】
2015141264.tif 000009
【図８】
2015141264.tif 000010
【図９】
2015141264.tif 000011